(57)【要約】      （修正有）【課題】ミシンの動作中において、ミシンモータに給電するための電源コードやミシンモータの起動、停止、速度制御するための制御ペダルコードがミシンの下部に配設される回転するプーリに接触してショートや感電の事故が惹起する虞を回避するためのミシンの電気コード収納装置を提供する。【解決手段】ミシンのアーム及びベッドに配設されミシンモータによって回転される駆動軸により駆動される縫目形成装置を備え、ミシンの下部において駆動軸に連結され縫目形成装置の動作中に駆動軸と共に回転され、縫目形成装置の停止中に手動操作されるプーリを有し、ミシンモータに給電するための電気コード１０（７ａ、８ａ）のミシンモータからの所定長をプーリから離隔して配置されるミシンの底カバー４に設けた連続する凹凸部４ａ、４ｄ、４ｂ、４ｅ、４ｃに蛇行して収納するものである。【選択図】図３
0003182494.tif 000002
【実用新案登録請求の範囲】
【請求項１】
ミシンのアーム及びベッドに配設されミシンモータによって回転される駆動軸により駆動される縫目形成装置を備え、
前記ミシンの下部において前記駆動軸に連結され前記縫目形成装置の動作中に前記駆動軸と共に回転され、前記縫目形成装置の停止中に手動操作されるプーリを有し、
前記ミシンモータに給電するための電気コードの前記ミシンモータからの所定長を前記プーリから離隔して配置される前記ミシンの底カバーに設けた連続する凹凸部に蛇行して収納することを特徴とするミシンの電気コード収納装置。
【請求項２】
前記凹凸部のうち凸部には１つおきに前記電気コードを収納状態から外方へ外れるのを防止する垂下部が設けられることを特徴とする請求項１記載のミシンの電気コード収納装置。
【請求項３】
前記底カバーと前記ミシンを支える脚の最下面との間には空隙が設けられることを特徴とする請求項１記載のミシンの電気コード収納装置。
【考案の詳細な説明】
【技術分野】
【０００１】
本考案はミシンの電気コード収納装置に係わり、特にミシンの動作中において、ミシンモータに給電するための電源コード等の電気コードがミシンの下部に配設される回転するプーリに接触してショートや感電の事故が惹起する虞を回避するためのミシンの電気コード収納装置に関する。
【背景技術】
【０００２】
従来から、図４に示すように、オーバーロック・偏平縫い複合ミシン（二重環縫いミシン）２１において、ミシン２１のアームＡＭ及びベッドＢＤに配設されミシンモータＭによって回転される駆動軸ＳＴにより駆動される縫目形成装置２２を備えている。ミシン２１の下部には駆動軸ＳＴに連結され縫目形成装置２２の動作中に駆動軸ＳＴと共に回転され、縫目形成装置２２の停止中に手動操作されるプーリ２３を有している。ミシンモータＭに給電するための電源コード２７及び速度制御ペダル２８でミシンモータＭの起動、停止、速度制御するための制御ペダルコード２９が電気接続プラグ３０及び速度制御ペダルプラグからそれぞれ伸びている（関連技術として例えば特許文献１−２参照）。
【先行技術文献】
【特許文献】
【０００３】
【特許文献１】実開昭６１−５４７７８公報
【特許文献２】実開昭６２−４３５８０公報
【考案の概要】
【考案が解決しようとする課題】
【０００４】
このようなプーリがミシンの下部に配置された構造では、ミシンの縫目形成装置の動作中にミシンモータに給電するための電源コードやミシンモータの起動、停止、速度制御するための制御ペダルコードが回転するプーリに知らぬ間に接触してショートや感電の事故が惹起する虞がある。
【０００５】
本考案は、これらの難点を解決するためになされたもので、ミシンの動作中において、ミシンモータに給電するための電源コードやミシンモータの起動、停止、速度制御するための制御ペダルコードがミシンの下部に配設される回転するプーリに接触してショートや感電の事故が惹起する虞を回避するためのミシンの電気コード収納装置を提供することを目的とする。
【課題を解決するための手段】
【０００６】
このような目的を達成するため、本考案のミシンの電気コード収納装置は、ミシンのアーム及びベッドに配設されミシンモータによって回転される駆動軸により駆動される縫目形成装置を備え、ミシンの下部において駆動軸に連結され縫目形成装置の動作中に駆動軸と共に回転され、縫目形成装置の停止中に手動操作されるプーリを有し、ミシンモータに給電するための電気コードのミシンモータからの所定長をプーリから離隔して配置されるミシンの底カバーに設けた連続する凹凸部に蛇行して収納するものである。
【０００７】
本考案のミシンの電気コード収納装置において、凹凸部のうち凸部には１つおきに電気コードを収納状態から外方へ外れるのを防止する垂下部が設けられる。
【０００８】
本考案のミシンの電気コード収納装置において、底カバーとミシンを支える脚の最下面との間には空隙が設けられる。
【考案の効果】
【０００９】
本考案のミシンの電気コード収納装置によれば、ミシンの動作中において、ミシンモータに給電するための電源コード等がミシンの下部に配設される回転するプーリに接触してショートや感電の事故が惹起する虞を回避することができる。
【図面の簡単な説明】
【００１０】
【図１】本考案によるミシンの電気コード収納装置を適用した３本針６本糸縁かがりオーバーロックミシン（二重環縫いミシン）の斜視図である。
【図２】図１において電気コードを外した状態の３本針６本糸縁かがりオーバーロックミシン（二重環縫いミシン）の斜視図である。
【図３】（ａ）は図１に示す電気コード収納装置において電気コードを外した状態の拡大斜視図、（ｂ）は図１に示す電気コード収納装置において電気コードを収納した状態の図１のＡ−Ａ線における拡大縦断面図である。
【図４】従来の３本針６本糸縁かがりオーバーロックミシン（二重環縫いミシン）の斜視図である。
【考案を実施するための形態】
【００１１】
以下、本考案のルーパ装置を３本針６本糸縁かがりオーバーロックミシン（二重環縫いミシン）に適用した好ましい実施の形態例について図面を参照して詳述する。
【００１２】
図１−図３に示すように、本考案のミシンの電気コード収納装置は、ミシン１のアームＡＭ及びベッドＢＤに配設されミシンモータＭによって回転される駆動軸ＳＴにより駆動される縫目形成装置２を備えている。
【００１３】
ミシン１の下部において駆動軸ＳＴに連結され縫目形成装置２の動作中に駆動軸ＳＴと共に回転され、縫目形成装置２の停止中に手動操作されるプーリ３を有している。
【００１４】
ミシンモータＭはモータカバー５で覆われており、モータカバー下端５ａには底カバー４が配設されている。モータカバー５にはモータ接続板６が配置され、電源コンセント６ａ、速度制御コンセント６ｂが設けられている。電源コンセント６ａ、速度制御コンセント６ｂには電源コード７ａ及び制御ペダルコード８ａの電源プラグ７ｂ及び速度制御ペダルプラグ８ｂがそれぞれ差込まれ電気的接続を行うものである。なお、電源コード７ａの電源プラグ７は電源コンセント（図示せず）に接続される。
【００１５】
ミシンモータＭに給電するための電気コード１０のミシンモータＭからの所定長をプーリ３から離隔して配置されるミシン１の底カバー４に設けた連続する凹凸部、即ち後方凹部４ｄ、前方凹部４ｅ、後凸部４ａ、中央凸部４ｂ、前凸部４ｃに蛇行して収納するものである。後凸部４ａ、前凸部４ｃにおける電気コード１０が通過する通路位置は中央凸部４ｂにおける電気コード１０が通過する通路位置とは段差が形成されて電気コード１０のミシンモータＭからの所定長が後方凹部４ｄ、前方凹部４ｅ、後凸部４ａ、中央凸部４ｂ、前凸部４ｃに蛇行して通過するように設定されている。
【００１６】
ここで電気コード１０とは、ミシンモータＭに給電するための電源コード７ａのみならず速度制御ペダル８でミシンモータＭの起動、停止、速度制御するための制御ペダルコード８ａを含むものである。
【００１７】
本考案のミシンの電気コード収納装置において、凹凸部４ａ、４ｄ、４ｂ、４ｅ、４ｃのうち凸部４ａ、４ｂ、４ｃには１つおきに、即ち凸部４ａ、４ｃに電気コード１０を収納状態から外方へ外れるのを防止する垂下部１４ａ、１４ｃが設けられる。
【００１８】
一方、凹凸部４ａ、４ｄ、４ｂ、４ｅ、４ｃのうち凸部４ｂには電気コード１０を収納状態から外方へ外れるのを防止するための電気コード１０の延伸方向に延びる突起部１４ｂが設けられる。
【００１９】
本考案のミシンの電気コード収納装置において、底カバー４とミシンＭを支える防振ゴム脚９の最下面９ａとの間には空隙Ｇが設けられる。
【００２０】
縫目形成装置２の針駆動機構、布送り機構及びルーパ駆動機構は駆動軸ＳＴによって駆動されるが、その具体的構造及び動作は公知又は周知であるので、その詳細は説明を省略する。
【００２１】
このように構成されたミシンの電気コード収納装置によれば、電源コンセント６ａ、速度制御コンセント６ｂに差込まれ電気的接続がされている電源プラグ７ｂ及び速度制御ペダルプラグ８ｂから延びる電源コード７ａ及び制御ペダルコード８ａの所定長は、プーリ３から離隔して配置されるミシン１の底カバー４に設けた連続する凹凸部、即ち後方凹部４ｄ、前方凹部４ｅ、後凸部４ａ、中央凸部４ｂ、前凸部４ｃに蛇行して収納されて引出されることから、ミシンの動作中において、ミシンモータに給電するための電源コードやミシンモータの起動、停止、速度制御するための制御ペダルコードがミシンの下部に配設される回転するプーリに接触してショートや感電の事故が惹起する虞を回避することができる。
【産業上の利用可能性】
【００２２】
本考案におけるミシンの電気コード収納装置は、ミシンの下部において駆動軸に連結され縫目形成装置の動作中に駆動軸と共に回転され、縫目形成装置の停止中に手動操作されるプーリを有し、ミシンモータを給電／制御するための電気コードがプーリ近傍に延びているミシンに好適に適用可能である。
【符号の説明】
【００２３】
１・・・ミシン
２・・・縫目形成装置
３・・・プーリ
４・・・底カバー
４ａ・・・後凸部
４ｂ・・・中央凸部
４ｃ・・・前凸部
４ｄ・・・後方凹部
４ｅ・・・前方凹部
５・・・モータカバー
５ａ・・・モータカバー下端
６・・・モータ接続板
６ａ・・・電源コンセント
６ｂ・・・速度制御コンセント
７・・・電源プラグ
７ｂ・・・電源接続プラグ
８・・・速度制御ペダル
８ｂ・・・速度制御ペダルプラグ
９・・・防振ゴム脚
９ａ・・・最下面
７ａ・・・電源コード
８ａ・・・速度制御ペダルコード
１０・・・電気コード
１４ａ、１４ｃ・・・垂下部
ＡＭ・・・アーム
ＢＤ・・・ベッド
Ｍ・・・ミシンモータ
ＳＴ・・・駆動軸
Ｇ・・・空隙
【図１】
0003182494.tif 000003
【図２】
0003182494.tif 000004
【図３】
0003182494.tif 000005
【図４】
0003182494.tif 000006